(57)【要約】【課題】  構内から構外に、また構外から構内に移動する携帯電話端末間の呼接続のサービスにおいて、管理者が希望する経路での呼接続ができ、また、通話時の不都合を軽減できる呼接続管理システムを提供する。【解決手段】  着信側の携帯電話端末４ａの位置する範囲と発信側の携帯電話端末４ｂの位置する範囲の組み合わせに応じて、管理者の設定によりデータベースの接続先番号特定用テーブルに記録されている接続先番号の特定用の情報（構内、構外）によって、接続先番号が決定され、これが発信側の携帯電話端末４ｂに送信される。そしてこの接続先番号により、着信側の携帯電話端末４ａと発信側の携帯電話端末４ｂが呼接続される。【選択図】    図１
2006166351.tif 000002
【特許請求の範囲】
【請求項１】
接続先管理装置と呼接続管理装置とを備えた呼接続管理システムであって、
前記接続先管理装置が、
着信端末の位置する範囲に応じて当該着信端末に割当てられた接続先番号を、前記着信端末の識別情報とその着信端末の位置する範囲の情報との組み合わせにごとに対応付けて記憶する接続先番号記憶手段と、
前記着信端末の識別情報とその着信端末の位置する範囲の情報とを対応付けて記憶し、また発信端末の識別情報とその発信端末の位置する範囲の情報とを対応付けて記憶する位置範囲記憶手段と、
前記発信端末の位置する範囲の情報と前記着信端末の位置する範囲の情報との組み合わせに応じて、前記接続先番号の特定用の前記着信端末の位置する範囲の情報を記憶する接続先番号指定情報記憶手段と、
前記発信端末より受付けた当該発信端末の識別情報および前記着信端末の識別情報とに基づいて、その発信端末の位置する範囲の情報および前記着信端末の位置する範囲の情報を前記位置範囲記憶手段から読み取り、それら発信端末の位置する範囲の情報および着信端末の位置する範囲の情報の組み合わせに基づいて、前記接続先番号指定情報記憶手段から前記着信端末の接続先番号の特定用の前記着信端末の位置する範囲の情報を読み取り、さらに、その読み取った前記着信端末の位置する範囲の情報と前記着信端末の識別情報に対応付けられて、前記接続先番号記憶手段に記録されている接続先番号を読み取る接続先番号特定手段と、
前記読み取った接続先番号を前記発信端末に通知する接続先番号通知手段と、
を備え、
前記呼接続管理装置が、
前記発信端末から通知を受けた前記接続先番号への前記発信端末の呼接続を行なう呼接続手段と、
を備える
ことを特徴とする呼接続管理システム。
【請求項２】
前記着信端末の位置する範囲の情報および前記発信端末の位置する範囲の情報が構内または構外のいずれかであり、
前記接続先管理装置が、
前記着信端末および前記発信端末に応答要求を発信する応答要求発信手段と、
前記応答要求を受信した前記着信端末および前記発信端末それぞれより前記着信端末の識別情報および前記発信端末の識別情報を受付ける応答受付け手段と、
前記応答要求に応じて受付けた前記着信端末の識別情報および前記発信端末の識別情報に対応付けて、前記構内を示す範囲の情報を前記位置範囲記憶手段に記録する位置範囲特定手段と、
を備えることを特徴とする請求項１に記載の呼接続管理システム。
【請求項３】
前記応答要求発信手段は、所定の間隔で前記応答要求を発信し、
前記位置範囲特定手段は、前記応答受付け手段が前記応答要求に応じて受付けなかった前記着信端末の識別情報または前記発信端末の識別情報に対応付けて、前記構外を示す範囲の情報を前記位置範囲記憶手段に記録する
ことを特徴とする請求項２に記載の呼接続管理システム。
【請求項４】
前記接続先管理装置は、
さらに、
前記呼接続を行なっている前記着信端末または前記発信端末それぞれの位置する範囲の情報が、前記位置範囲記憶手段において前記構内から前記構外に変更された場合に、当該構外に変更された前記着信端末または前記発信端末と呼接続していた前記発信端末または前記着信端末の新たな接続先となる接続先番号またはボイスメール管理装置または留守電管理装置のいずれかを示す接続先変更情報を前記呼接続管理装置に通知する接続先変更情報通知手段を備え、
前記呼接続管理装置が、
前記接続先変更情報に含まれる接続先番号またはボイスメール管理装置または留守電管理装置のいずれかに、前記構内から構外に変更された前記着信端末または前記発信端末と呼接続していた前記発信端末または前記着信端末の前記呼接続を切り替える呼接続切替手段と、
を備えることを特徴とする請求項３に記載の呼接続管理システム。
【請求項５】
前記接続先管理装置は、
さらに、
前記呼接続を行なっている前記着信端末または前記発信端末それぞれの位置する範囲の情報が、前記位置範囲記憶手段において前記構内から前記構外に変更された場合に、当該構外に変更された前記着信端末または前記発信端末と呼接続していた前記発信端末または前記着信端末との呼接続の切断を前記呼接続管理装置に通知する呼接続切断指示手段と、
を備えることを特徴とする請求項３または請求項４に記載の呼接続管理システム。
【請求項６】
接続先管理装置と呼接続管理装置とを備えた呼接続管理システムにおける呼接続管理方法であって、
前記接続先管理装置の接続先番号記憶手段が、着信端末の位置する範囲に応じて当該着信端末に割当てられた接続先番号を、前記着信端末の識別情報とその着信端末の位置する範囲の情報との組み合わせにごとに対応付けて記憶し、
前記接続先管理装置の位置範囲記憶手段が、前記着信端末の識別情報とその着信端末の位置する範囲の情報とを対応付けて記憶し、また発信端末の識別情報とその発信端末の位置する範囲の情報とを対応付けて記憶し、
前記接続先管理装置の接続先番号指定情報記憶手段が、前記発信端末の位置する範囲の情報と前記着信端末の位置する範囲の情報との組み合わせに応じて、前記接続先番号の特定用の前記着信端末の位置する範囲の情報を記憶し、
前記接続先管理装置の接続先番号特定手段が、前記発信端末より受付けた当該発信端末の識別情報および前記着信端末の識別情報とに基づいて、その発信端末の位置する範囲の情報および前記着信端末の位置する範囲の情報を前記位置範囲記憶手段から読み取り、それら発信端末の位置する範囲の情報および着信端末の位置する範囲の情報の組み合わせに基づいて、前記接続先番号指定情報記憶手段から前記着信端末の接続先番号の特定用の前記着信端末の位置する範囲の情報を読み取り、さらに、その読み取った前記着信端末の位置する範囲の情報と前記着信端末の識別情報に対応付けられて、前記接続先番号記憶手段に記録されている接続先番号を読み取り、
前記接続先管理装置の接続先番号通知手段が、前記読み取った接続先番号を前記発信端末に通知し、
前記呼接続管理装置の呼接続手段が、前記発信端末から通知を受けた接続先番号への前記発信端末の呼接続を行なう
ことを特徴とする呼接続管理方法。
【請求項７】
着信端末の位置する範囲に応じて当該着信端末に割当てられた接続先番号を、前記着信端末の識別情報とその着信端末の位置する範囲の情報との組み合わせにごとに対応付けて記憶する接続先番号記憶手段と、
前記着信端末の識別情報とその着信端末の位置する範囲の情報とを対応付けて記憶し、また発信端末の識別情報とその発信端末の位置する範囲の情報とを対応付けて記憶する位置範囲記憶手段と、
前記発信端末の位置する範囲の情報と前記着信端末の位置する範囲の情報との組み合わせに応じて、前記接続先番号の特定用の前記着信端末の位置する範囲の情報を記憶する接続先番号指定情報記憶手段と、
を備えた接続先管理装置と、
呼接続管理装置と、が通信ネットワークを介して接続された呼接続管理システムにおける前記接続先管理装置のコンピュータに実行させるプログラムであって、
前記発信端末より受付けた当該発信端末の識別情報および前記着信端末の識別情報とに基づいて、その発信端末の位置する範囲の情報および前記着信端末の位置する範囲の情報を前記位置範囲記憶手段から読み取り、
それら発信端末の位置する範囲の情報および着信端末の位置する範囲の情報の組み合わせに基づいて、前記接続先番号指定情報記憶手段から前記着信端末の接続先番号の特定用の前記着信端末の位置する範囲の情報を読み取り、
さらに、その読み取った前記着信端末の位置する範囲の情報と前記着信端末の識別情報に対応付けられて、前記接続先番号記憶手段に記録されている接続先番号を読み取り、
前記読み取った接続先番号を前記発信端末に通知する
各処理をコンピュータに実行させるプログラム。
【請求項８】
前記着信端末の位置する範囲の情報および前記発信端末の位置する範囲の情報が構内または構外のいずれかであり、
請求項７に記載の処理に加え、
前記着信端末および前記発信端末に応答要求を発信し、
前記応答要求を受信した前記着信端末および前記発信端末それぞれより前記着信端末の識別情報および前記発信端末の識別情報を受付け、
前記応答要求に応じて受付けた前記着信端末の識別情報および前記発信端末の識別情報に対応付けて、前記構内を示す範囲の情報を前記位置範囲記憶手段に記録する
各処理をコンピュータに実行させるプログラム。
【請求項９】
請求項８に記載の処理に加え、
前記応答要求を所定の間隔で発信し、
前記応答要求に応じて受付けなかった前記着信端末の識別情報または前記発信端末の識別情報に対応付けて、前記構外を示す範囲の情報を前記位置範囲記憶手段に記録する
各処理をコンピュータに実行させるプログラム。
【請求項１０】
請求項９に記載の処理に加え、
前記呼接続を行なっている前記着信端末または前記発信端末それぞれの位置する範囲の情報が、前記位置範囲記憶手段において前記構内から前記構外に変更された場合に、当該構外に変更された前記着信端末または前記発信端末と呼接続していた前記発信端末または前記着信端末の新たな接続先となる接続先番号またはボイスメール管理装置または留守電管理装置のいずれかを示す接続先変更情報を前記呼接続管理装置に通知する
処理をコンピュータに実行させるプログラム。
【請求項１１】
請求項９または請求項１０に記載の処理に加え、
前記呼接続を行なっている前記着信端末または前記発信端末それぞれの位置する範囲の情報が、前記位置範囲記憶手段において前記構内から前記構外に変更された場合に、当該構外に変更された前記着信端末または前記発信端末と呼接続していた前記発信端末または前記着信端末との呼接続の切断を前記呼接続管理装置に通知する
処理をコンピュータに実行させるプログラム。
【発明の詳細な説明】
【技術分野】
【０００１】
本発明は、携帯電話端末間における、ＰＳＴＮ（Public Switched Telephone Networks）などの公衆交換回線網を利用した呼接続と、無線ＬＡＮを利用したＶＯＩＰの機能による呼接続との切り替えを行なう、呼接続管理システムおよび呼接続管理方法、接続先管理装置のプログラムに関する。
【背景技術】
【０００２】
近年、企業などにおいては、社内や社外のどこにいても連絡がつくように社員に携帯電話端末を持たせている。例えばこの携帯電話端末の種類としては、オフィス構内においては既設の内線電話専用のワイヤレス電話端末や、ＰＳＴＮなどの公衆交換回線網を利用しオフィス構外においても電話できる携帯電話端末などである。なお、ユーザがワイヤレス電話端末と携帯電話端末を両方持っている際に、携帯電話端末に接続された呼を、電源がＯＮとなっているワイヤレス電話端末に転送する技術が公開されている（例えば特許文献１参照）。
【特許文献１】特開２００３−４６６４５号公報
【発明の開示】
【発明が解決しようとする課題】
【０００３】
しかしながら、上述の特許文献における技術では、例えば、ワイヤレス電話端末同士がオフィス構内で呼接続している最中に、一方のワイヤレス電話端末が、無線基地局から電波の届かない位置に移動してしまった場合などには、その呼接続が切れてしまうこととなる。また、上述の特許文献では、ワイヤレス電話端末に呼接続を転送させるために不応答プログラムを携帯電話端末に送信しているので、回線に負荷をかけてしまう原因となる。さらに、上述の特許文献では、ワイヤレス電話端末に電源が入っていると必ずそのワイヤレス電話端末に接続されてしまうので、発信側の携帯電話端末および着信側の携帯電話端末の位置する範囲（オフィス構内、オフィス構外など）に応じて、管理者の要望する経路での接続（公衆交換回線網内での呼接続、公衆交換回線網→パケット交換網での呼接続、パケット交換網→公衆交換回線網での呼接続、パケット交換網内での呼接続）を切り替えることができなかった。
【０００４】
そこでこの発明は、構内から構外に、また構外から構内に移動する携帯電話端末間の呼接続のサービスにおいて、管理者が希望する経路での呼接続ができ、また、通話時の不都合を軽減できる呼接続管理システムおよび呼接続管理方法、接続先管理装置のプログラムに関する。
【課題を解決するための手段】
【０００５】
本発明は、上述の課題を解決すべくなされたもので、接続先管理装置と呼接続管理装置とを備えた呼接続管理システムであって、前記接続先管理装置が、着信端末の位置する範囲に応じて当該着信端末に割当てられた接続先番号を、前記着信端末の識別情報とその着信端末の位置する範囲の情報との組み合わせにごとに対応付けて記憶する接続先番号記憶手段と、前記着信端末の識別情報とその着信端末の位置する範囲の情報とを対応付けて記憶し、また発信端末の識別情報とその発信端末の位置する範囲の情報とを対応付けて記憶する位置範囲記憶手段と、前記発信端末の位置する範囲の情報と前記着信端末の位置する範囲の情報との組み合わせに応じて、前記接続先番号の特定用の前記着信端末の位置する範囲の情報を記憶する接続先番号指定情報記憶手段と、前記発信端末より受付けた当該発信端末の識別情報および前記着信端末の識別情報とに基づいて、その発信端末の位置する範囲の情報および前記着信端末の位置する範囲の情報を前記位置範囲記憶手段から読み取り、それら発信端末の位置する範囲の情報および着信端末の位置する範囲の情報の組み合わせに基づいて、前記接続先番号指定情報記憶手段から前記着信端末の接続先番号の特定用の前記着信端末の位置する範囲の情報を読み取り、さらに、その読み取った前記着信端末の位置する範囲の情報と前記着信端末の識別情報に対応付けられて、前記接続先番号記憶手段に記録されている接続先番号を読み取る接続先番号特定手段と、前記読み取った接続先番号を前記発信端末に通知する接続先番号通知手段と、を備え、前記呼接続管理装置が、前記発信端末から通知を受けた前記接続先番号への前記発信端末の呼接続を行なう呼接続手段と、を備えることを特徴とする呼接続管理システムである。
【０００６】
また本発明は、上述の呼接続管理システムにおいて、前記着信端末の位置する範囲の情報および前記発信端末の位置する範囲の情報が構内または構外のいずれかであり、前記接続先管理装置が、前記着信端末および前記発信端末に応答要求を発信する応答要求発信手段と、前記応答要求を受信した前記着信端末および前記発信端末それぞれより前記着信端末の識別情報および前記発信端末の識別情報を受付ける応答受付け手段と、前記応答要求に応じて受付けた前記着信端末の識別情報および前記発信端末の識別情報に対応付けて、前記構内を示す範囲の情報を前記位置範囲記憶手段に記録する位置範囲特定手段と、を備えることを特徴とする。
【０００７】
また本発明は、上述の呼接続管理システムにおいて、前記応答要求発信手段は、所定の間隔で前記応答要求を発信し、前記位置範囲特定手段は、前記応答受付け手段が前記応答要求に応じて受付けなかった前記着信端末の識別情報または前記発信端末の識別情報に対応付けて、前記構外を示す範囲の情報を前記位置範囲記憶手段に記録することを特徴とする。
【０００８】
また本発明は、上述の呼接続管理システムにおいて、前記接続先管理装置は、さらに、前記呼接続を行なっている前記着信端末または前記発信端末それぞれの位置する範囲の情報が、前記位置範囲記憶手段において前記構内から前記構外に変更された場合に、当該構外に変更された前記着信端末または前記発信端末と呼接続していた前記発信端末または前記着信端末の新たな接続先となる接続先番号またはボイスメール管理装置または留守電管理装置のいずれかを示す接続先変更情報を前記呼接続管理装置に通知する接続先変更情報通知手段を備え、前記呼接続管理装置が、前記接続先変更情報に含まれる接続先番号またはボイスメール管理装置または留守電管理装置のいずれかに、前記構内から構外に変更された前記着信端末または前記発信端末と呼接続していた前記発信端末または前記着信端末の前記呼接続を切り替える呼接続切替手段と、を備えることを特徴とする。
【０００９】
また本発明は、上述の呼接続管理システムにおいて、前記接続先管理装置は、さらに、前記呼接続を行なっている前記着信端末または前記発信端末それぞれの位置する範囲の情報が、前記位置範囲記憶手段において前記構内から前記構外に変更された場合に、当該構外に変更された前記着信端末または前記発信端末と呼接続していた前記発信端末または前記着信端末との呼接続の切断を前記呼接続管理装置に通知する呼接続切断指示手段と、を備えることを特徴とする。
【００１０】
また本発明は、接続先管理装置と呼接続管理装置とを備えた呼接続管理システムにおける呼接続管理方法であって、前記接続先管理装置の接続先番号記憶手段が、着信端末の位置する範囲に応じて当該着信端末に割当てられた接続先番号を、前記着信端末の識別情報とその着信端末の位置する範囲の情報との組み合わせにごとに対応付けて記憶し、前記接続先管理装置の位置範囲記憶手段が、前記着信端末の識別情報とその着信端末の位置する範囲の情報とを対応付けて記憶し、また発信端末の識別情報とその発信端末の位置する範囲の情報とを対応付けて記憶し、前記接続先管理装置の接続先番号指定情報記憶手段が、前記発信端末の位置する範囲の情報と前記着信端末の位置する範囲の情報との組み合わせに応じて、前記接続先番号の特定用の前記着信端末の位置する範囲の情報を記憶し、前記接続先管理装置の接続先番号特定手段が、前記発信端末より受付けた当該発信端末の識別情報および前記着信端末の識別情報とに基づいて、その発信端末の位置する範囲の情報および前記着信端末の位置する範囲の情報を前記位置範囲記憶手段から読み取り、それら発信端末の位置する範囲の情報および着信端末の位置する範囲の情報の組み合わせに基づいて、前記接続先番号指定情報記憶手段から前記着信端末の接続先番号の特定用の前記着信端末の位置する範囲の情報を読み取り、さらに、その読み取った前記着信端末の位置する範囲の情報と前記着信端末の識別情報に対応付けられて、前記接続先番号記憶手段に記録されている接続先番号を読み取り、前記接続先管理装置の接続先番号通知手段が、前記読み取った接続先番号を前記発信端末に通知し、前記呼接続管理装置の呼接続手段が、前記発信端末から通知を受けた接続先番号への前記発信端末の呼接続を行なうことを特徴とする呼接続管理方法である。
【００１１】
また本発明は、着信端末の位置する範囲に応じて当該着信端末に割当てられた接続先番号を、前記着信端末の識別情報とその着信端末の位置する範囲の情報との組み合わせにごとに対応付けて記憶する接続先番号記憶手段と、前記着信端末の識別情報とその着信端末の位置する範囲の情報とを対応付けて記憶し、また発信端末の識別情報とその発信端末の位置する範囲の情報とを対応付けて記憶する位置範囲記憶手段と、前記発信端末の位置する範囲の情報と前記着信端末の位置する範囲の情報との組み合わせに応じて、前記接続先番号の特定用の前記着信端末の位置する範囲の情報を記憶する接続先番号指定情報記憶手段と、を備えた接続先管理装置と、呼接続管理装置と、が通信ネットワークを介して接続された呼接続管理システムにおける前記接続先管理装置のコンピュータに実行させるプログラムであって、前記発信端末より受付けた当該発信端末の識別情報および前記着信端末の識別情報とに基づいて、その発信端末の位置する範囲の情報および前記着信端末の位置する範囲の情報を前記位置範囲記憶手段から読み取り、それら発信端末の位置する範囲の情報および着信端末の位置する範囲の情報の組み合わせに基づいて、前記接続先番号指定情報記憶手段から前記着信端末の接続先番号の特定用の前記着信端末の位置する範囲の情報を読み取り、さらに、その読み取った前記着信端末の位置する範囲の情報と前記着信端末の識別情報に対応付けられて、前記接続先番号記憶手段に記録されている接続先番号を読み取り、前記読み取った接続先番号を前記発信端末に通知する各処理をコンピュータに実行させるプログラムである。
【００１２】
また本発明は、前記着信端末の位置する範囲の情報および前記発信端末の位置する範囲の情報が構内または構外のいずれかであり、上記処理に加え、前記着信端末および前記発信端末に応答要求を発信し、前記応答要求を受信した前記着信端末および前記発信端末それぞれより前記着信端末の識別情報および前記発信端末の識別情報を受付け、前記応答要求に応じて受付けた前記着信端末の識別情報および前記発信端末の識別情報に対応付けて、前記構内を示す範囲の情報を前記位置範囲記憶手段に記録する各処理をコンピュータに実行させるプログラムである。
【００１３】
また本発明は、前記着信端末の位置する範囲の情報および前記発信端末の位置する範囲の情報が構内または構外のいずれかであり、上述の処理に加え、前記着信端末および前記発信端末に応答要求を発信し、前記応答要求を受信した前記着信端末および前記発信端末それぞれより前記着信端末の識別情報および前記発信端末の識別情報を受付け、前記応答要求に応じて受付けた前記着信端末の識別情報および前記発信端末の識別情報に対応付けて、前記構内を示す範囲の情報を前記位置範囲記憶手段に記録する各処理をコンピュータに実行させるプログラムである。
【００１４】
また本発明は、上述の処理に加え、前記呼接続を行なっている前記着信端末または前記発信端末それぞれの位置する範囲の情報が、前記位置範囲記憶手段において前記構内から前記構外に変更された場合に、当該構外に変更された前記着信端末または前記発信端末と呼接続していた前記発信端末または前記着信端末の新たな接続先となる接続先番号またはボイスメール管理装置または留守電管理装置のいずれかを示す接続先変更情報を前記呼接続管理装置に通知する処理をコンピュータに実行させるプログラムである。
【００１５】
また本発明は、上述の処理に加え、前記呼接続を行なっている前記着信端末または前記発信端末それぞれの位置する範囲の情報が、前記位置範囲記憶手段において前記構内から前記構外に変更された場合に、当該構外に変更された前記着信端末または前記発信端末と呼接続していた前記発信端末または前記着信端末との呼接続の切断を前記呼接続管理装置に通知する処理をコンピュータに実行させるプログラムである。
【発明の効果】
【００１６】
本発明によれば、着信端末の位置する範囲と発信端末の位置する範囲の組み合わせに応じて、管理者の設定により接続先番号指定情報記憶手段に記録されている接続先番号の特定用の情報によって、接続先番号が決定されるので、管理者は、着信端末と発信端末が呼接続する際の経路を、自由に設定することができる。また、携帯電話端末にプログラムを送ることなく接続先管理装置が記憶する情報のみで呼接続を処理することができるので、ネットワークの負荷を軽減することが出来る。
【００１７】
また本発明によれば、応答要求に応じて携帯電話端末から発信された識別情報に基づいて、容易にその携帯電話端末の位置する範囲を決定することができる。
【００１８】
また本発明によれば、構内から構外に移動した携帯電話端末との呼接続については、新たな接続先番号やボイスメール管理装置や留守電管理装置に接続を切り替えるので、接続先の携帯電話端末が電波の届かない位置に移動してしまった場合にも、呼接続を急に切断することなく呼接続のサービスを提供することができる。
【発明を実施するための最良の形態】
【００１９】
以下、本発明の一実施形態による呼接続管理システムを図面を参照して説明する。図１は同実施形態による呼接続管理システムの構成を示すブロック図である。
この図において、符号１は携帯電話端末が構内に位置しているか、構外に位置しているかの情報を記憶し、構内または構外に対応する携帯電話端末番号を、発信側の携帯電話端末に通知するＡＰサーバ（接続先管理装置）である。また２は公衆交換回線網（以下、ＰＳＴＮと呼ぶ）の通信と、構内ネットワーク内で通信されるＳＩＰ（Session Initiation Protocol）を利用した通信との中継を行なうとともに、携帯電話端末間の通話接続の為のルーティング処理を行なう、ＳＩＰプロキシサーバ（呼接続管理装置）である。
【００２０】
また３はアクセスポイント装置であり、無線により携帯電話端末との通信を行なう。また４ａは着信側の携帯電話端末（着信端末）を示している。また４ｂは発信側の携帯電話端末（発信端末）を示している。そして、携帯電話端末４ａ、４ｂは構内→構外、構外→構内へ移動可能である。また５は基地局であり、構外に位置する携帯電話端末４ｂからの通信を受付ける。また６は構内ネットワークであり、ＡＰサーバ１とＳＩＰプロキシサーバ２と、アクセスポイント装置３とを物理的に接続した通信ネットワークである。また７はＰＳＴＮである。ここで、上記構内とは、アクセスポイント装置３が無線信号により携帯電話端末４ａ、４ｂと通信できる位置の範囲（社内等に設置したアクセスポイント等の電波範囲）を示しており、また構外とはアクセスポイント装置３が無線信号により携帯電話端末４ａ、４ｂと通信できない位置の範囲を示している。
【００２１】
図２は構内ネットワークに接続する各装置と携帯電話端末の機能構成を示す図である。
次に、図２を用いてＡＰサーバとアクセスポイント装置とＳＩＰプロキシサーバと携帯電話端末の機能構成について説明する。
まず、ＡＰサーバ１において、符号１０１は構内ネットワーク６に接続された各装置との通信を処理する通信処理部である。また１０２はＡＰサーバ１内の各処理部を制御する制御部である。また１０３は、発信側の携帯電話端末４ｂに通知する着信側の携帯電話端末４ａの電話番号を特定する接続先番号特定処理部（接続先番号特定手段）である。また１０４は、特定された着信側の携帯電話端末４ａの電話番号を、発信側の携帯電話端末４ｂに通知する接続先番号通知処理部（接続先番号通知手段）である。また１０５は構内の範囲に位置する携帯電話端末４ａまたは４ｂに応答要求の情報を発信する処理を行なう応答要求発信処理部（応答要求発信手段）である。
【００２２】
また１０６は、各携帯電話端末４ａ、４ｂが構内または構外のいずれの範囲に位置しているかをデータベースに記録する位置範囲特定処理部（位置範囲特定手段）である。また１０７は構内から構外に移動した携帯電話端末４ａまたは４ｂと呼接続していた携帯電話端末４ｂまたは４ａの呼接続を切り替える処理を行なう接続先変更情報通知処理部（接続先変更情報通知手段）である。また１０８は接続先一覧の情報を発信側の携帯電話端末４ｂに送信する接続先一覧通知処理部である。また１０９は各種情報を記憶するデータベースである。
【００２３】
またＳＩＰプロキシサーバ２において、符号２１は、構内ネットワーク６に接続されている各装置と通信処理を行なう構内側通信処理部である。また２２はＰＳＴＮ７の通信ネットワークに接続されている基地局５と通信処理を行なうＰＳＴＮ側通信処理部である。また２３は、構内側通信処理部２１とＰＳＴＮ側通信処理部２２の通信をルーティング処理するルーティング処理部（呼接続手段、呼接続切替手段）である。
【００２４】
またアクセスポイント装置３において、符号３１は構内ネットワークに接続されている各装置と通信処理を行なう構内側通信処理部である。また３２はアクセスポイント装置３の各処理部を制御する制御部である。また３３は無線通信により携帯電話端末４ａまたは４ｂと通信を行なう無線処理部である。
【００２５】
また携帯電話端末４ａ、４ｂにおいて、符号４１はアクセスポイント装置３と無線通信を行なう内線無線処理部である。また４２は携帯電話端末４ａ、４ｂの各処理部を制御する制御部である。また４３は、接続先の一覧を示す情報を取得する接続先一覧取得処理部である。また４４はＰＳＴＮでの呼接続を処理する公衆回線通信処理部である。また４５は構内ネットワークでの呼接続を処理する内線通信処理部である。また４６は基地局５と無線通信を行なう公衆回線無線処理部である。
【００２６】
図３は電話番号特定テーブルのデータ構成を示す図である。
図４はユーザ位置特定テーブルのデータ構成を示す図である。
図５は接続先番号特定用テーブルのデータ構成を示す図である。
次に、図３、図４を用いて、ＡＰサーバ１のデータベース１０９が保持するデータについて説明する。
データベース１０９は、電話番号特定テーブル（接続先番号記憶手段）と、ユーザ位置特定テーブル（位置範囲記憶手段）と、接続先番号特定用テーブル（接続先番号指定情報記憶手段）とを保持している。そして、図３に示すように、電話番号特定テーブルには、携帯電話端末のＩＤと構内または構外の情報の組み合わせに対応した携帯電話端末の電話番号が記録されている。また図４で示すように、ユーザ位置特定テーブルには、携帯電話端末のＩＤに対応付けて、そのユーザが構内または構外のどちらの位置の範囲にいるかを示す情報を記憶している。また図５で示すように、接続先番号特定用テーブルは、発信側の携帯電話端末４ｂの位置する範囲の情報（構内または構外）と着信側の携帯電話端末４ａの位置する範囲の情報（構内または構外）との組み合わせに応じて、接続先番号の特定用の情報となる、着信側の携帯電話端末４ａの位置する範囲の情報（構内または構外）が記録されている。
【００２７】
次に、呼接続管理システムにおける携帯電話端末の位置の特定処理について説明する。
まず、ＡＰサーバ１の応答要求発信処理部１０５は、所定の間隔毎に（例えば３秒毎）、応答要求の情報を構内ネットワーク６のアクセスポイント装置３に向けて発信する処理を行なう。この応答要求の情報は、通信処理部１０１から構内ネットワークに送出され、アクセスポイント装置３の構内側通信処理部３１が受信し、アクセスポイント装置３の無線処理部３４が無線信号により発信することで、携帯電話端末４ａまたは４ｂが受信する。携帯電話端末４ａ、４ｂは内線通信処理部４５の処理として、応答要求を受信した際には自端末を識別する情報として、自端末のＩＤをＡＰサーバ１宛てに送信する処理を行なう。すると当該応答要求に応じて携帯電話端末４ａ、４ｂから送信されたＩＤは、アクセスポイント装置３と構内ネットワーク６を経由してＡＰサーバ１の制御部１０２が受信する。
【００２８】
ＡＰサーバ１の制御部１０２は通信処理部１０１から応答要求の返答としての携帯電話端末のＩＤを受付けると、そのＩＤを位置範囲特定処理部１０６に転送する。すると、位置範囲特定処理部１０６は、応答要求に応じて返答されたＩＤに対応付けられてデータベース１０９のユーザ位置特定テーブルに記録されている情報が「構内」を示す情報であるか「構外」を示す情報であるかを確認し、「構外」を示す情報である場合には「構内」を示す情報に書き換える。また、位置範囲特定処理部１０６は、例えば、連続する３回の応答要求全てに対して、携帯電話端末４ａ、４ｂから送信されなかった携帯電話端末のＩＤを検出する。この検出は、例えば、応答要求に対応して受信したＩＤの一覧を作成することなどによって行なう。そして連続する３回の応答要求全てに対して送信されなかった、携帯電話端末４ａ、４ｂのＩＤに対応付けられて、ユーザ位置特定テーブルに記録されている位置範囲の情報が「構内」である場合には、その情報を「構外」に変更する。つまり、ＡＰサーバ１は、応答要求を発信することによって、各携帯電話端末４ａが構内に位置するか、または構外に位置するかの情報をユーザ位置特定テーブルに記録する。
【００２９】
図６は、携帯電話端末の呼接続の処理フローを示す図である。
次に、携帯電話端末の呼接続の処理について説明する。
まず、発信側の携帯電話端末４ｂを操作するユーザは、保持している携帯電話端末４ｂに呼接続の要求の指示を入力する。これは携帯電話端末４ｂの入出力部を経由して制御部４２に通知される。制御部４２は呼接続の要求の指示を受付けると、接続先一覧取得処理部４３に接続先一覧の取得を要求示す情報を送信する。すると、接続先一覧取得処理部４３はＡＰサーバ１へ送信する接続先一覧取得要求の情報を公衆回線無線処理部４６に通知する。すると、公衆回線無線処理部４６は接続先一覧取得要求の情報を基地局５へ無線信号により送信する（ステップＳ１）。また基地局５はＰＳＴＮ７を介してＳＩＰプロキシサーバ２へ接続先一覧取得要求の情報を送信し、またＳＩＰプロキシサーバ２、構内ネットワーク６を介してＡＰサーバ１が受信する。
【００３０】
ＡＰサーバ１では接続先一覧取得要求の情報を受信すると、接続先一覧通知処理部１０８が接続先一覧情報を発信側の携帯電話端末４ｂに送信する処理を行なう（ステップＳ２）。そして、通信処理部１０１が接続先一覧情報を送信し、構内ネットワーク６、ＳＩＰプロキシサーバ２ＰＳＴＮ７、基地局５を介して、携帯電話端末４ｂが無線信号により接続先一覧情報を受信する。なお、接続先一覧情報は、携帯電話端末４ｂの表示部において接続できるユーザの一覧を表示させ、また当該一覧に含まれるユーザの識別情報を格納する情報である。そして、携帯電話端末４ｂの制御部４２は接続先一覧情報を受信すると、表示部にユーザの一覧を表示する。
【００３１】
ここでユーザが、携帯電話端末４ｂの入力部から、表示部において表示されたユーザの一覧のうち接続先に指定するユーザを選択する。すると携帯電話端末４ｂの制御部４２は選択されたユーザの識別情報（ユーザの識別情報によって、当該ユーザの利用する携帯電話端末のＩＤが特定されるので、つまりユーザの識別情報は着信側の携帯電話端末４ｂを識別するための情報である）と自端末のＩＤとを含む接続先番号要求情報を送信するよう公衆回線無線処理部４６に指示する。そして公衆回線無線処理部４６は接続先番号要求情報を発信し、当該接続先番号要求情報を、基地局５、ＰＳＴＮ７、ＳＩＰプロキシサーバ２、構内ネットワーク６を介して、ＡＰサーバ１が受信する（ステップＳ３）。
【００３２】
ＡＰサーバ１では接続先番号要求情報を受信すると、接続先番号特定処理部１０３が接続先番号要求情報から発信側の携帯電話端末４ｂのＩＤと、着信側の携帯電話端末４ａを保持するユーザの識別情報を読み取る。ここでＡＰサーバ１は、ユーザ識別情報と携帯電話端末のＩＤとの対応表を記憶している。接続先番号特定処理部１０３はその対応表を参照して、接続先番号要求情報に含まれていたユーザ（着信側の携帯電話端末４ｂを保持するユーザ）の識別情報に対応する携帯電話端末のＩＤを読み取り、そのＩＤを着信側の携帯電話端末４ｂのＩＤと判断する。次に接続先番号特定処理部１０３は接続先番号要求情報に含まれていた発信側の携帯電話端末４ｂのＩＤに対応付けられてデータベース１０９のユーザ位置特定テーブルに保持されている位置の範囲を示す情報（構内／構外）を読み取る。また、接続先番号特定処理部１０３は、対応表から読み取った着信側の携帯電話端末４ａのＩＤに対応付けられてデータベース１０９のユーザ位置特定テーブルに保持されている位置の範囲を示す情報（構内／構外）を読み取る。これにより、接続先番号特定処理部１０３は、発信側の携帯電話端末４ｂの位置する範囲の情報と、着信側の携帯電話端末４ａの位置する範囲の情報を検出する。
【００３３】
次に接続先番号特定処理部１０３は、発信側の携帯電話端末４ｂの位置する範囲の情報と、着信側の携帯電話端末４ａの位置する範囲の情報の組み合わせに応じて、接続先番号特定用テーブルに記録されている「接続先番号を特定するための、着信側の携帯電話端末４ａの位置する範囲の情報（構内／構外）」を読み取る。そして、接続先番号特定処理部１０３は、当該読み取った「接続先番号を特定するための、着信側の携帯電話端末４ａの位置する範囲の情報（構内／構外）」と、着信側の携帯電話端末４ｂのＩＤの組み合わせに対応付けられて電話番号特定テーブルに記録されている電話番号を読み取り、この電話番号を着信側の携帯電話端末４ｂに呼接続する際の接続先の番号と決定する（ステップＳ４）。そして接続先の電話番号と特定した着信側の携帯電話端末４ｂの電話番号を、接続先番号通知処理部１０４に通知する。
【００３４】
次に、接続先番号通知処理部１０４は、前記特定した着信側の携帯電話端末４ａの電話番号を送信するよう通信処理部１０１に通知する。すると通信処理部１０１がその着信側の携帯電話端末４ａの電話番号を送信し（ステップＳ５）、当該電話番号を、構内ネットワーク６、ＳＩＰプロキシサーバ２、ＰＳＴＮ７、基地局５を介して発信側の携帯電話端末４ｂが受信する。
【００３５】
発信側の携帯電話端末４ｂの制御部４２は、発信先の電話番号を受信すると、その電話番号がＰＳＴＮ７で利用される電話番号か、構内ネットワーク６で利用される電話番号かを、例えば桁数などで判断し、発信先の電話番号がＰＳＴＮ７で利用される電話番号である場合には、当該発信先の電話番号を公衆回線通信処理部４４に通知し、発信先の電話番号が構内ネットワーク６で利用される電話番号である場合には、当該発信先の電話番号を内線通信処理部４５に通知する。そして、公衆回線通信処理部４４が発信先の電話番号の通知を受けた場合には、公衆回線通信処理部４４は公衆回線無線処理部４６から、その発信先の電話番号への呼接続要求情報を、基地局５へ送信する（ステップＳ６）。また内線通信処理部４５が発信先の電話番号の通知を受けた場合には、内線通信処理部４５は、内線無線処理部４１からその発信先の電話番号への呼接続要求情報を、アクセスポイント装置３に送信する（ステップＳ６）。なお、呼接続要求情報には、発信側の携帯電話端末４ｂの電話番号と、着信側の携帯電話端末４ａの電話番号とが含まれている。
【００３６】
基地局５では、発信側の携帯電話端末４ｂから呼接続要求情報を受信すると、当該呼接続要求情報に基づいて呼接続の処理を行なう。ここで、呼接続要求情報に含まれる着信側の携帯電話端末４ａの電話番号が公衆交換回線網で利用される電話番号である場合には、基地局５は、ＰＳＴＮ７に接続された他の基地局との間で呼接続の処理を行なう。また、呼接続要求情報に含まれる着信側の携帯電話端末４ａの電話番号が構内ネットワーク６で利用される電話番号である場合には、基地局５は、ＰＳＴＮ７に接続されたＳＩＰプロキシサーバ２に呼接続要求情報を送信する。ＳＩＰプロキシサーバ２では、ルーティング処理部２３が、呼接続要求情報に含まれる各電話番号に基づいてルーティングして、アクセスポイント装置３を介して構内ネットワークに接続されている着信側の携帯電話端末４ａへの呼接続の処理を行なう。これにより、基地局５、ＳＩＰプロキシサーバ２、アクセスポイント装置３を介して、構外に位置する発信側の携帯電話端末４ｂと、構内に位置する着信側の携帯電話端末４ａとの呼接続が行なわれる（ステップＳ７）。
【００３７】
また、構内にある発信側の携帯電話端末４ｂから送信された呼接続要求情報は、アクセスポイント装置３からＳＩＰプロキシサーバ２に通知される。そしてＳＩＰプロキシサーバ２のルーティング処理部２３は、呼接続要求情報に含まれる着信側の携帯電話端末４ａの電話番号が構内ネットワーク内で利用される電話番号である場合には、アクセスポイント装置３と無線信号により接続している着信側の携帯電話端末４ａと発信側の携帯電話端末４ｂとの間の呼接続を行なう。また、接続要求情報に含まれる着信側の携帯電話端末４ａの電話番号がＰＳＴＮ７で利用される電話番号である場合には、呼接続要求情報を基地局５に送信する。そして、これにより、基地局５、ＳＩＰプロキシサーバ２、アクセスポイント装置３を介して、構内に位置する発信側の携帯電話端末４ｂと、構外に位置する着信側の携帯電話端末４ａとの呼接続が行なわれる（ステップＳ７）。
【００３８】
ここで、上述した携帯電話端末の呼接続の処理において、接続先番号特定処理部１０３は、接続先番号特定用テーブルに記録されている、「接続先番号を特定するための、着信側の携帯電話端末４ａの位置する範囲の情報（構内／構外）」を読み取って、その情報と、着信側の携帯電話端末４ｂのＩＤの組み合わせに対応付けられて電話番号特定テーブルに記録されている電話番号を、発信先の電話番号と特定したが、例えば、接続先番号特定用テーブルにおける「接続先番号を特定するための、着信側の携帯電話端末４ａの位置する範囲の情報（構内／構外）」を「構外」→「構内」、「構内」→「構外」変更することによって、発信側の携帯電話端末４ｂに通知する接続先の電話番号を替えることができる。つまり、接続先番号特定テーブルを変更して、発信側の携帯電話端末４ｂと着信側の携帯電話端末４ａのそれぞれが位置する範囲の組み合わせに応じて、発信側の携帯電話端末４ｂに通知する接続先の電話番号を変更できれば、「構内ネットワーク」→「構内ネットワーク」、「ＰＳＴＮ」→「ＰＳＴＮ」、「構内ネットワーク」→「ＰＳＴＮ」、「ＰＳＴＮ」→「構内ネットワーク」という４つの携帯での呼接続の処理を自由に管理者が設定することができる。これにより、例えば、「構内ネットワーク」→「ＰＳＴＮ」での呼接続より「ＰＳＴＮ」→「ＰＳＴＮ」の呼接続の方が通話料金が低い場合には、「ＰＳＴＮ」→「ＰＳＴＮ」の呼接続を優先するように設定することができる。
【００３９】
次に、構内に位置する着信側または発信側の携帯電話端末が構外に移動した場合の処理について説明する。
まず、ＡＰサーバ１の接続先変更情報通知処理部１０７は、接続先番号特定処理部１０３が発信側の携帯電話端末４ｂから送信された接続先番号要求情報に基づいて、接続先番号を発信側の携帯電話端末４ｂに送信すると、当該接続先番号特定処理部１０３より、発信側の携帯電話端末４ｂのＩＤと着信側の携帯電話端末４ａのＩＤとの通知を受ける。そして、それらのＩＤに対応付けられてデータベース１０９のユーザ位置特定テーブルに記録されている位置の範囲の情報が「構内」である場合には、「構外」に変更されないか否かを監視する。そして、「構内」から「構外」に変更された場合、つまり、ＡＰサーバ１の応答要求に応じていた携帯電話端末が応じなくなった場合には、その携帯電話端末の電話番号を電話番号特定テーブルから読み取る。そして、当該読み取った電話番号と接続変更先の装置の情報とを含む接続先変更情報をＳＩＰプロキシサーバ２に送信する（ステップＳ８）。ここで接続変更先の装置とは、例えば、ボイスメール管理装置や、留守電管理装置や、新たな携帯電話端末である。ＳＩＰプロキシサーバ２は接続先変更情報を受信すると、当該接続先変更情報に含まれる接続変更先の装置の情報に基づいて、「構内」から「構外」に移動した携帯電話端末と呼接続を行なっていた相手側の携帯電話端末の呼接続を、ボイスメール管理装置や、留守電管理装置や、新たな携帯電話端末など切り替える処理を行なう（ステップＳ９）。これにより、構内から構外に移動した携帯電話端末４ａまたは４ｂと呼接続していた携帯電話端末４ｂまたは４ａの通話を突然切ることなく、他の装置に接続することによって、ボイスメールや留守番電話に通話内容を残したり、他の携帯電話端末と通話することが出来るようになる。なお、接続先変更情報に「切断」を示す情報を含ませて、呼接続を正常に切断するようにしても良い。
ただし「構内」→「構外」へ移動した瞬間に「ＰＳＴＮ」より接続を実施した場合、一度「構内」で登録済みの電話番号へ着信されることとなるが、「構内」では接続出来ないため、再度「ＰＳＴＮ」へルーチングされることになり、料金面で２度の通信料を要するケースも存在するため、発信者が「ＰＳＴＮ」の場合、着信者の位置情報によらず、「ＰＳＴＮ」へ接続を実施することも可能である。
【００４０】
なお上述は各装置や携帯電話端末は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４１】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００４２】
【図１】呼接続管理システムの構成を示すブロック図である。
【図２】構内ネットワークに接続する各装置と携帯電話端末の機能構成を示す図である。
【図３】電話番号特定テーブルのデータ構成を示す図である。
【図４】ユーザ位置特定テーブルのデータ構成を示す図である。
【図５】接続先番号特定用テーブルのデータ構成を示す図である。
【図６】携帯電話端末の呼接続の処理フローを示す図である。
【符号の説明】
【００４３】
１・・・ＡＰサーバ、２・・・ＳＩＰプロキシサーバ、３・・・アクセスポイント装置、４ａ・・着信側の携帯電話端末、４ｂ・・発信側の携帯電話端末、５・・・基地局、６・・・構内ネットワーク、７・・・ＰＳＴＮ
【図１】
2006166351.tif 000003
【図２】
2006166351.tif 000004
【図３】
2006166351.tif 000005
【図４】
2006166351.tif 000006
【図５】
2006166351.tif 000007
【図６】
2006166351.tif 000008